(57)【要約】【課題】動画映像信号に対する適切なインデックスデータの付与。【解決手段】レンズユニットがカメラ本体部から着脱可能とされた撮像装置において、レンズユニットの装着有無の検出信号を用いてレンズユニットの交換又は脱着を判別し、該判別結果に基づいて、映像信号に対するインデックスデータの形成処理を行う。つまりレンズが交換又は脱着されることに応じて、撮像された映像信号にインデックスデータが付与されるようにする。【選択図】図２
2008252260.tif 000002
【特許請求の範囲】
【請求項１】
レンズユニットがカメラ本体部から着脱可能とされた撮像装置において、
上記レンズユニットを介して導入される被写体光の撮像処理を行い、映像信号を生成する撮像信号処理部と、
上記カメラ本体部に対する上記レンズユニットの装着有無を示す検出信号を生成する装着検出部と、
上記装着検出部による装着有無の検出信号を用いて上記レンズユニットの交換又は脱着を判別し、該判別結果に基づいて、上記映像信号に対するインデックスデータの形成処理を行う制御部と、
を備えたことを特徴とする撮像装置。
【請求項２】
上記撮像信号処理部で生成された映像信号を記録媒体に記録する記録部をさらに備え、
上記制御部は、上記インデックスデータの形成処理として、上記レンズユニットの交換又は脱着の後に上記記録部で記録する上記映像信号についてのインデックスデータを、上記記録部により記録媒体に記録させることを特徴とする請求項１に記載の撮像装置。
【請求項３】
上記撮像信号処理部で生成された映像信号を外部機器に送信する送信部をさらに備え、
上記制御部は、上記インデックスデータの形成処理として、上記レンズユニットの交換又は脱着の後に上記送信部から送信する上記映像信号についてのインデックスデータを、上記送信部により上記外部機器に送信させることを特徴とする請求項１に記載の撮像装置。
【請求項４】
上記制御部は、上記装着検出部による装着有無の検出信号と、装着されているレンズユニットの識別情報を用いて、レンズユニットの交換の有無を判別し、レンズユニットの交換があったと判別した場合に、上記映像信号に対するインデックスデータの形成処理を行うことを特徴とする請求項１に記載の撮像装置。
【請求項５】
上記制御部は、上記装着検出部による装着有無の検出信号の変化を監視して、レンズユニットの脱着を判別し、レンズユニットの脱着があったと判別した場合に、上記映像信号に対するインデックスデータの形成処理を行うことを特徴とする請求項１に記載の撮像装置。
【請求項６】
上記制御部は、上記インデックスデータの形成処理として、上記映像信号の検索用静止画像データの生成制御を行うことを特徴とする請求項１に記載の撮像装置。
【請求項７】
レンズユニットがカメラ本体部から着脱可能とされた撮像装置の撮像方法として、
上記レンズユニットを介して導入される被写体光の撮像処理を行い、映像信号を生成するステップと、
上記カメラ本体部に対する上記レンズユニットの装着有無を示す検出信号を用いて上記レンズユニットの交換又は脱着を判別するステップと、
上記レンズユニットの交換又は脱着の判別結果に基づいて、上記撮像処理による映像信号に対するインデックスデータの形成処理を行うステップと、
を備えたことを特徴とする撮像方法。
【請求項８】
レンズユニットを介して導入される被写体光の撮像処理を行い、映像信号を生成するための制御処理と、
上記カメラ本体部に対する上記レンズユニットの装着有無を示す検出信号を用いて上記レンズユニットの交換又は脱着を判別する処理と、
上記レンズユニットの交換又は脱着の判別結果に基づいて、上記撮像処理による映像信号に対するインデックスデータの形成処理と、
をレンズユニットがカメラ本体部から着脱可能とされた撮像装置の制御部に実行させるプログラム。
【発明の詳細な説明】
【技術分野】
【０００１】
本発明は、撮像装置、撮像方法、及び撮像装置に適用できるプログラムに関し、特にレンズユニットが着脱可能に構成された撮像装置に関するものである。
【背景技術】
【０００２】
【特許文献１】特開平７−９８９６５号公報
【特許文献２】特開平６−１１３２５３号公報
【特許文献３】特開２００５−２８７０６２号公報
【０００３】
動画映像の中から所望のシーンにすばやくアクセスする手段として動画映像にインデックスデータを記録する手法が、上記各特許文献に開示されている。
【発明の開示】
【発明が解決しようとする課題】
【０００４】
動画映像に対してインデックスデータを付加して記録することで、効率的なシーンアクセスが可能となるが、このインデックスデータの付与の手法として、より好適な手法が求められている。
そこで本発明では特にレンズユニットが着脱可能に構成された撮像装置において好適なインデックスデータの付与の手法を提供することを目的とする。
【課題を解決するための手段】
【０００５】
本発明の撮像装置は、レンズユニットとカメラ本体部が着脱可能とされて、上記レンズユニットが交換可能とされている撮像装置である。そして、上記レンズユニットを介して導入される被写体光の撮像処理を行い、映像信号を生成する撮像信号処理部と、上記カメラ本体部に対する上記レンズユニットの装着有無を示す検出信号を生成する装着検出部と、上記装着検出部による装着有無の検出信号を用いて上記レンズユニットの交換又は脱着を判別し、該判別結果に基づいて、上記映像信号に対するインデックスデータの形成処理を行う制御部とを備える。
また上記撮像信号処理部で生成された映像信号を記録媒体に記録する記録部をさらに備え、上記制御部は、上記インデックスデータの形成処理として、上記レンズユニットの交換又は脱着の後に上記記録部で記録する上記映像信号についてのインデックスデータを、上記記録部により記録媒体に記録させる。
また上記撮像信号処理部で生成された映像信号を外部機器に送信する送信部をさらに備え、上記制御部は、上記インデックスデータの形成処理として、上記レンズユニットの交換又は脱着の後に上記送信部から送信する上記映像信号についてのインデックスデータを、上記送信部により上記外部機器に送信させる。
【０００６】
また上記制御部は、上記装着検出部による装着有無の検出信号と、装着されているレンズユニットの識別情報を用いて、レンズユニットの交換の有無を判別し、レンズユニットの交換があったと判別した場合に、上記映像信号に対するインデックスデータの形成処理を行う。
また上記制御部は、上記装着検出部による装着有無の検出信号の変化を監視して、レンズユニットの脱着を判別し、レンズユニットの脱着があったと判別した場合に、上記映像信号に対するインデックスデータの形成処理を行う。
また上記制御部は、上記インデックスデータの形成処理として、上記映像信号の検索用静止画像データの生成制御を行う。
【０００７】
本発明の撮像方法は、レンズユニットがカメラ本体部から着脱可能とされた撮像装置の撮像方法であり、上記レンズユニットを介して導入される被写体光の撮像処理を行い、映像信号を生成するステップと、上記カメラ本体部に対する上記レンズユニットの装着有無を示す検出信号を用いて上記レンズユニットの交換又は脱着を判別するステップと、上記レンズユニットの交換又は脱着の判別結果に基づいて、上記撮像処理による映像信号に対するインデックスデータの形成処理を行うステップとを備える。
また本発明のプログラムは、レンズユニットを介して導入される被写体光の撮像処理を行い、映像信号を生成するための制御処理と、上記カメラ本体部に対する上記レンズユニットの装着有無を示す検出信号を用いて上記レンズユニットの交換又は脱着を判別する処理と、上記レンズユニットの交換又は脱着の判別結果に基づいて、上記撮像処理による映像信号に対するインデックスデータの形成処理とを、レンズユニットとカメラ本体部が着脱可能とされて上記レンズユニットが交換可能とされている撮像装置の制御部に実行させるプログラムである。
【０００８】
以上の本発明によれば、レンズが交換又は脱着されることに応じて、撮像された映像信号に対するインデックスデータの形成処理が行われ、インデックスデータが付与される。交換とは、異なるレンズユニットに取り替えられたことを言い、脱着とは、レンズユニットが一度取り外された後に、同じ又は異なるレンズユニットが装着されたことを言う。またインデックスデータの形成処理とは、少なくとも映像信号上のインデックスポイントを示すことができるようにする処理のことである。
特に動画映像を撮像する場合において、レンズユニットの交換がなされた場合は、明らかに撮像シーンが変わった場合であり、また、同一レンズであっても、レンズを取り外して再度装着する場合は撮影場所を移動した後である可能性が高い。従って、レンズが交換又は脱着されることに応じて、撮像された映像信号にインデックスデータが付与されるということは、撮像後に動画映像を確認する際などに、撮像条件が変化した箇所へのすばやいアクセスを可能にすることになる。
【発明の効果】
【０００９】
本発明によれば、レンズユニットが着脱可能な撮像装置において、撮像された映像信号に対する適切な映像検索用のインデックスデータの作成が可能となる。これによって撮像した映像信号の再生時に、効率的なアクセスが実現でき、映像の視聴や編集に好適となる。
【発明を実施するための最良の形態】
【００１０】
以下、本発明の実施の形態の撮像装置を次の順序で説明する。
［１．第１の実施の形態の撮像装置の構成及び動作］
［２．第２の実施の形態の撮像装置の構成及び動作］
［３．第３の実施の形態の撮像装置の構成及び動作］
［４．インデックスデータの内容例］
［５．インデックスデータの記録例］
［６．実施の形態の効果及びプログラム］
【００１１】
［１．第１の実施の形態の撮像装置の構成及び動作］
図１に第１の実施の形態の撮像装置１の構成を示す。
実施の形態の撮像装置１は、カメラ本体部３に対して、レンズユニット２が着脱可能な構成とされる。レンズユニット２は、撮像レンズや光学フィルタによる撮像光学系を有する。つまり本例の撮像装置１は、レンズユニット２としての被写体光を導入する撮像光学系が交換可能とされている。
レンズユニット２はコネクタ部２１を有し、カメラ本体部３のコネクタ部３１に対して着脱可能とされる。コネクタ部２１，３１は、レンズユニット２の装着のためのメカニカルな機構が形成されると共に、カメラ本体部３とレンズユニット２の間の電気信号接続を行うための端子部を有する。
またレンズユニット２は、内部に例えばフラッシュメモリ或いはＲＯＭなどの不揮発性固体メモリなどによるメモリ部２２を備え、このメモリ部２２には、レンズＩＤが記憶されている。レンズＩＤは、レンズユニットの種別を示す識別情報である。
【００１２】
カメラ本体部３には、装着検出部３２が設けられる。この装着検出部３２は、レンズユニット２が装着されているか否かを示す検出信号を発生させる。例えば装着検出部３２は、メカニカルスイッチ機構や、或いはフォトカプラ等を用いた光センサ機構により構成できる。
【００１３】
撮像信号処理部３４は、レンズユニット２を介して導入される被写体光の撮像処理を行い、映像信号を生成する。
即ち撮像信号処理部３４は、例えばＣＣＤセンサアレイ、ＣＭＯＳセンサアレイ、或いは撮像管などによる撮像素子部、アナログフロントエンド、デジタル映像処理回路、撮像素子部の動作を制御するタイミングジェネレータなどを備える。そして撮像素子部で被写体光を電気信号に変換し、またアナログフロントエンドで撮像素子で得られる電気信号に対してＣＤＳ（correlated double sampling ：相関２重サンプリング）処理、ゲイン処理、Ａ／Ｄ変換処理を行ってデジタルデータとする。さらにデジタル映像信号処理回路で、輝度処理、色信号処理、各種補正処理、ホワイトバランス処理等を行って撮像による映像信号ＶＳを生成する。
【００１４】
撮像信号処理部３４で生成された映像信号ＶＳは、図示しない表示部（ビューファインダ等）に供給されて撮像モニタとして表示されるとともに、記録再生部３６に供給される。
記録再生部３６は、記録メディア９０に対して映像信号ＶＳや各種情報の記録及び再生を実行する。記録メディア９０としては、光ディスク、ＨＤＤ（Hard Disk Drive）、フラッシュメモリ等の不揮発性固体メモリを内蔵したメモリカード、磁気テープなど、各種の記録媒体が想定される。
撮像時には、記録再生部３６は、供給される映像信号ＶＳに対して所定の圧縮エンコード処理や、記録データとしてのフォーマットに応じたエンコード処理等を行い、記録メディア９０に記録する処理を行う。
また記録再生部３６は、制御部３３の制御に基づいて、インデックスデータその他の各種付加的なデータの記録も行う。
また、記録再生部３６は、記録メディア９０に記録されている映像信号を再生し、図示しない表示部で表示させることも可能とされる。
【００１５】
操作部３５は、ユーザが操作を行うための各種操作子が設けられる。例えば撮像開始、終了の操作や、各種モード切換操作、再生操作などのための操作子が形成される。操作部３３の各種操作子による操作情報は制御部３３に供給される。
【００１６】
制御部３３は、例えばＣＰＵ（Central Processing Unit）、ＲＯＭ（Read Only Memory）、ＲＡＭ（Random Access Memory）、フラッシュメモリなどを有するマイクロコンピュータによって構成され、撮像装置の全体の動作を制御する。例えば操作部３５によるユーザ操作に応じて、撮像信号処理部３４での撮像及び信号処理動作の制御や、記録再生部３６での記録再生動作の制御を行う。
また制御部３３は、装着検出部３２の検出信号を監視することで、レンズユニット２の装着有無を検知できる構成とされている。
また本例においては、制御部３３は特に、インデックスデータＩＤＸを記録再生部３６において記録メディア９０に記録させる制御処理も行う。
制御部１０におけるＲＯＭには、これらの制御処理を実行させるプログラムが格納されており、該プログラムに基づいて、上記各制御のための必要な演算・制御処理を実行する。
【００１７】
このような撮像装置１において、特に撮像時の記録開始・終了とインデックスデータＩＤＸの記録に関する制御部３３の制御処理例を図２に示す。
図２のフローチャートは、ステップＦ１００の処理の開始からステップＦ１１１の処理の終了までが繰り返し実行されるものとして示している。
【００１８】
図２の処理の開始時点では、制御部３３はステップＦ１０１で、レンズユニット２の有無を判別する。即ち装着検出部３２からの検出信号を確認し、レンズユニット２が取り付けられているか否かを判別する。レンズユニット２が装着されていなければステップＦ１１１で処理を終了し、再びステップＦ１００の処理の開始に戻る。
ステップＦ１０１でレンズユニット２が装着されていることを確認したら、制御部３３はステップＦ１０２，Ｆ１０９で操作部３５によるユーザ操作を確認する。
ステップＦ１０２では記録開始操作が行われたか否かを確認する。ステップＦ１０９では記録終了操作が行われたか否かを確認する。
【００１９】
レンズユニット２が装着されている状態において、撮像された映像信号ＶＳについての記録が記録再生部３６で開始される前の期間、及び記録実行中の期間は、ステップＦ１０２→Ｆ１０９→Ｆ１１１と進む。
一方、ユーザによる記録開始操作を検出した場合は、制御部３３は処理をステップＦ１０２からＦ１０３に進め、まず現在のレンズＩＤの読み込みを行う。即ちこの時点で装着されているレンズユニット２のメモリ部２２に記憶されているレンズＩＤを、コネクタ２１，３１を介して読み込む。
またステップＦ１０４では、バックアップレンズＩＤの読み出しを行う。例えば制御部３３は、内部のフラッシュメモリ等にバックアップレンズＩＤを記憶しており、この内部に記憶したバックアップレンズＩＤを読み出す。バックアップレンズＩＤとは、前回の記録時に装着されていたレンズユニット２のレンズＩＤである。
【００２０】
制御部３３はステップＦ１０５で、現在のレンズユニット２のレンズＩＤと、バックアップレンズＩＤを比較し、一致しているか否かを判断する。
現在のレンズユニット２のレンズＩＤとバックアップレンズＩＤが一致していれば、ステップＦ１０７に進むが、一致していなければ、ステップＦ１０６で、インデックスデータＩＤＸの記録制御を行う。即ちインデックスデータＩＤＸを発生させ、そのインデックスデータＩＤＸを記録再生部３６に供給して記録メディア９０に記録させる。そしてステップＦ１０７に進む。
なお、インデックスデータＩＤＸのデータ形式や記録場所については後述する。
【００２１】
制御部３３はステップＦ１０７では、バックアップレンズＩＤを更新する。即ち現在のレンズユニット２のレンズＩＤを、次回の記録開始時に用いるバックアップレンズＩＤとするため、バックアップレンズＩＤとして保持するレンズＩＤの値を上書き更新する。
そしてステップＦ１０８で、記録再生部３６に対して映像信号記録開始指示を行う。これに応じて記録再生部３６は、撮像信号処理部３４から供給される映像信号ＶＳを記録メディア９０に記録していく動作を開始する。
【００２２】
ユーザが記録終了操作を行ったことを検知した場合は、制御部３３は処理をステップＦ１０９からＦ１１０に進めることになり、記録再生部３６に対して映像信号記録終了指示を行う。これに応じて記録再生部３６は、撮像信号処理部３４から供給される映像信号ＶＳを記録メディア９０に記録していく動作を終了する。
【００２３】
この図２のような処理が行われることで、レンズユニット２が交換された直後の記録開始に応じて、インデックスデータＩＤＸの記録が行われることになる。
つまり、ステップＦ１０５での現在のレンズユニット２のレンズＩＤとバックアップレンズＩＤの比較結果として、一致していれば、前回の映像記録時と同じ（同じ種類）のレンズユニット２で記録が開始される場合であり、この場合は、インデックスデータＩＤＸの記録は行われない。一方、一致していない場合は、レンズユニット２が他の種類のものに交換されたことを意味する。そしてこの場合に撮像開始に応じてインデックスデータＩＤＸが記録される。
【００２４】
なお図２の処理の変形例は各種考えられるが、図３，図４，図５にそれぞれ例示する。
図３の処理例では、ステップＦ２００で処理を開始したら、制御部３３は、ステップＦ２０１，Ｆ２０９で記録開始操作、記録終了操作の検知を行う。そして記録開始操作を検知した場合にステップＦ２０１からステップＦ２０２に進み、レンズユニット２の装着有無の判別を行う。レンズユニット２が装着されていなければステップＦ２１１に進む。レンズユニット２が装着されていれば、ステップＦ２０２からＦ２０３に進み、バックアップレンズＩＤの読み出しを行い、ステップＦ２０４で現在のレンズユニット２のレンズＩＤの読み込みを行い、ステップＦ２０５で現在のレンズユニット２のレンズＩＤとバックアップレンズＩＤの比較を行う。そして比較結果によりレンズユニット２の交換と判断した場合はステップＦ２０６でインデックスデータＩＤＸの記録制御を行う。
そしてステップＦ２０７で記録再生部３６に映像信号ＶＳの記録開始指示を行い、ステップＦ２０８でバックアップレンズＩＤの更新を行う。
記録終了操作を検知した場合は、制御部３３はステップＦ２０９からＦ２１０に進んで記録再生部３６に対して映像信号ＶＳの記録終了指示を行う。
このようなステップＦ２００〜Ｆ２１１の処理を繰り返す。
【００２５】
この図３の処理例は、レンズユニット２の装着有無の検出を記録開始操作の検知後に行うようにしたこと、バックアップレンズＩＤの読み出しと現在のレンズユニット２のレンズＩＤの読み込みの順序を逆にしたこと、及び映像信号記録開始指示とバックアップレンズＩＤの更新の順序を変えたことが上述した図２と異なる。
【００２６】
次に図４の処理例では、制御部３３はステップＦ３００で処理を開始すると、ステップＦ３０１でレンズユニット２の装着有無を判断する。レンズユニット２が装着されていなければステップＦ３１１に進む。レンズユニット２が装着されていれば、ステップＦ３０２，Ｆ３０９で記録開始操作、記録終了操作の検知を行う。
記録開始操作を検知したら、制御部３３はステップＦ３０２からステップＦ３０３に進み、現在のレンズユニット２のレンズＩＤの読み込みを行い、ステップＦ３０４でバックアップレンズＩＤの読み出しを行う。そしてステップＦ３０５で記録再生部３６に映像信号ＶＳの記録開始指示を行う。その後、ステップＦ３０６で現在のレンズユニット２のレンズＩＤとバックアップレンズＩＤの比較を行い、比較結果によりレンズユニット２の交換と判断した場合はステップＦ３０７でインデックスデータＩＤＸの記録制御を行う。そしてステップＦ３０８でバックアップレンズＩＤの更新を行う。
記録終了操作を検知した場合は、制御部３３はステップＦ３０９からＦ３１０に進んで記録再生部３６に対して映像信号ＶＳの記録終了指示を行う。
このようなステップＦ３００〜Ｆ３１１の処理を繰り返す。
【００２７】
即ちこの図４の処理例は、映像信号ＶＳの記録開始指示の後に、レンズＩＤの比較による交換判別、及び交換の場合のインデックスデータＩＤＸの記録制御を行うようにした例である。
なお、ステップＦ３０３，Ｆ３０４で現在のレンズＩＤの読み込みとバックアップレンズＩＤの読み出しを行う前に、記録再生部３６に映像信号ＶＳの記録開始指示を行うようにしてもよい。
【００２８】
次に図５の処理例では、制御部３３はステップＦ４００で処理を開始すると、ステップＦ４０１でレンズユニット２の装着有無を判断する。レンズユニット２が装着されていなければステップＦ４１１に進む。レンズユニット２が装着されていれば、ステップＦ４０２，Ｆ４０９で記録開始操作、記録終了操作の検知を行う。
記録開始操作を検知したら、制御部３３はステップＦ４０２からステップＦ４０３に進み、現在のレンズユニット２のレンズＩＤの読み込みを行い、ステップＦ４０４でバックアップレンズＩＤの読み出しを行う。ステップＦ４０５では現在のレンズユニット２のレンズＩＤとバックアップレンズＩＤの比較を行い、比較結果によりレンズユニット２の交換と判断した場合はステップＦ４０６でバックアップレンズＩＤの更新を行ってから、ステップＦ４０６でインデックスデータＩＤＸの記録制御を行う。
そしてステップＦ４０８で記録再生部３６に映像信号ＶＳの記録開始指示を行う。
記録終了操作を検知した場合は、制御部３３はステップＦ４０９からＦ４１０に進んで記録再生部３６に対して映像信号ＶＳの記録終了指示を行う。
このようなステップＦ４００〜Ｆ４１１の処理を繰り返す。
【００２９】
即ちこの図５の処理例は、バックアップレンズＩＤの更新を行うのを、レンズユニット２の交換と判別された場合のみとした例である。レンズユニット２が交換されていなければ、バックアップレンズＩＤの更新は不要であるためである。
【００３０】
以上の図３，図４，図５の処理によっても、図２と同様、レンズユニット２の交換後の最初の記録開始時にインデックスデータＩＤＸの記録制御が行われることになる。
【００３１】
［２．第２の実施の形態の撮像装置の構成及び動作］
第２の実施の形態の撮像装置１の構成を図６に示す。なお、図１と同一部分は同一符号を付し、説明を省略する。
この図６は、レンズユニット２においてレンズＩＤを記憶するメモリ部を無くしたものであり、カメラ本体部３の制御部３は、特にレンズＩＤを読み込む処理を行わない構成例である。
【００３２】
このような撮像装置１において、撮像時の記録開始・終了とインデックスデータＩＤＸの記録に関する制御部３３の制御処理例を図７に示す。図７のフローチャートは、ステップＦ５００の処理の開始から、ステップＦ５１１の処理の終了までが繰り返し実行されるものとして示している。
【００３３】
図７の処理の開始時点では、制御部３３はステップＦ１０１で、レンズユニット２の有無を判別する。即ち装着検出部３２からの検出信号を確認し、レンズユニット２が取り付けられているか否かを判別する。
レンズユニット２が装着されていなければ、制御部３３はステップＦ５０７で内部フラグとしてのレンズ脱フラグをオンとする。そしてステップＦ５１１で処理を終了し、再びステップＦ５００の処理の開始に戻る。
レンズ脱フラグは、レンズユニット２が装着されていないことによってオンとされるフラグとなる。
【００３４】
ステップＦ５０１でレンズユニット２が装着されていることを確認したら、制御部３３はステップＦ５０２，Ｆ５０９で操作部３５によるユーザ操作を確認する。
ステップＦ５０２では記録開始操作が行われたか否かを確認する。ステップＦ５０９では記録終了操作が行われたか否かを確認する。
【００３５】
レンズユニット２が装着されている状態において、撮像された映像信号ＶＳについての記録が記録再生部３６で開始される前の期間、及び記録実行中の期間は、ステップＦ５０２→Ｆ５０９→Ｆ５１１と進む。
ユーザによる記録開始操作を検出した場合は、制御部３３は処理をステップＦ５０２からＦ５０３に進め、レンズ脱フラグを確認する。
レンズ脱フラグがオフであればステップＦ５０５に進むが、レンズ脱フラグがオンであれば、ステップＦ５０４で、インデックスデータＩＤＸの記録制御を行う。即ちインデックスデータＩＤＸを発生させ、そのインデックスデータＩＤＸを記録再生部３６に供給して記録メディア９０に記録させる。そしてステップＦ５０５に進む。
【００３６】
制御部３３はステップＦ５０５で、レンズ脱フラグをオフとする処理を行い、ステップＦ５０６で、記録再生部３６に対して映像信号記録開始指示を行う。これに応じて記録再生部３６は、撮像信号処理部３４から供給される映像信号ＶＳを記録メディア９０に記録していく動作を開始する。
【００３７】
ユーザが記録終了操作を行ったことを検知した場合は、制御部３３は処理をステップＦ５０９からＦ５１０に進めることになり、記録再生部３６に対して映像信号記録終了指示を行う。これに応じて記録再生部３６は、撮像信号処理部３４から供給される映像信号ＶＳを記録メディア９０に記録していく動作を終了する。
【００３８】
この図７の処理が行われることで、レンズユニット２が脱着された直後の記録開始に応じて、インデックスデータＩＤＸの記録が行われることになる。
ステップＦ５０３でレンズ脱フラグがオフとなる場合は、前回の映像記録時から今回の映像記録開始までの期間にレンズユニット２の取り外しと装着が行われていない場合である。一方、異なる種類のレンズユニット２に交換されたか、或いは同じレンズユニット２が一旦取り外されて再度装着されたかにかかわらず、レンズユニット２の脱着があれば、レンズ脱フラグはオンとなり、脱着後の最初の記録開始時に、ステップＦ５０４でインデックスデータＩＤＸの記録制御が行われる。
【００３９】
なお図７の処理の変形例を、図８，図９，図１０にそれぞれ例示する。
図８の処理例では、ステップＦ６００で処理を開始したら、制御部３３は、ステップＦ６０１，Ｆ６０８で記録開始操作、記録終了操作の検知を行う。また記録開始操作時点でもなく記録終了操作時点でもない場合は、記録実行中か停止中が考えられるが、制御部３３はステップＦ６０９で停止中であるか否かを判断する。
記録開始操作が検知されず、また記録終了操作も検知されない状況において、現在停止中である場合は、制御部３３はステップＦ６１１でレンズユニット２の装着有無の判別を行う。そしてレンズユニット２が装着されていなければ、制御部３３はステップＦ６０７でレンズ脱フラグをオンとしてステップＦ６１２で処理を終了する。レンズユニット２が装着されていれば、そのままステップＦ６１２に進む。
記録開始操作を検知した場合は、制御部３３はステップＦ６０１からＦ６０２に進み、レンズユニット２の装着有無の判別を行う。レンズユニット２が装着されていなければ制御部３３はステップＦ６０７でレンズ脱フラグをオンとしてステップＦ６１２で処理を終了する。即ちこの場合は、記録開始制御は行われず、ユーザの記録開始操作は無効操作として処理される。
記録開始操作を検知した後、レンズユニット２の装着が確認されたら、制御部３３はステップＦ６０３に進み、レンズ脱フラグを確認し、レンズ脱フラグがオンであれば、ステップＦ６０４でインデックスデータＩＤＸの記録制御を行う。
そして制御部３３はステップＦ６０５で記録再生部３６に対して映像信号記録開始指示を行い、ステップＦ６０６でレンズ脱フラグをオフとする。
記録終了操作を検知した場合は、制御部３３はステップＦ６０８からＦ６１０に進んで記録再生部３６に対して映像信号ＶＳの記録終了指示を行う。
このようなステップＦ６００〜Ｆ６１２の処理を繰り返す。
【００４０】
この図８の処理例は、レンズユニット２の装着有無の検出を記録開始操作の検知後、及び停止中に行うようにしたこと、及び映像信号記録開始指示とレンズ脱フラグのオフ処理の順序を変えたことが上述した図７と異なる。
【００４１】
図９の処理例では、ステップＦ７００で処理を開始したら、制御部３３は、ステップＦ７０１でレンズユニット２の装着有無の判別を行う。そしてレンズユニット２が装着されていなければ、ステップＦ７０７でレンズ脱フラグをオンとしてステップＦ７１０に進む。
レンズユニット２が装着されていれば、制御部３３はステップＦ７０２，Ｆ７０３で記録開始操作、記録終了操作の検知を行う。
記録開始操作を検知した場合は、制御部３３はステップＦ７０２からＦ７０３に進み、記録再生部３６に対して映像信号記録開始指示を行う。
そして制御部３３はステップＦ７０４でレンズ脱フラグを確認し、レンズ脱フラグがオンであれば、ステップＦ７０５でレンズ脱フラグをオフとするとともに、ステップＦ７０６でインデックスデータＩＤＸの記録制御を行う。
記録終了操作を検知した場合は、制御部３３はステップＦ７０８からＦ７０９に進んで記録再生部３６に対して映像信号ＶＳの記録終了指示を行う。
このようなステップＦ７００〜Ｆ７１０の処理を繰り返す。
【００４２】
この図９の処理例は、記録開始操作に応じて先に映像信号ＶＳの記録開始指示を行い、その後にレンズ脱フラグを確認してオンであれば、レンズ脱フラグをオフするとともにインデックスデータＩＤＸの記録制御を行うようにした例である。
なお、ステップＦ７０５，Ｆ７０６の順序は逆でもかまわない。
【００４３】
図１０の処理例では、ステップＦ８００で処理を開始したら、制御部３３は、ステップＦ８０１でレンズユニット２の装着有無の判別を行う。そしてレンズユニット２が装着されていなければ、ステップＦ８０７でレンズ脱フラグをオンとしてステップＦ８１０に進む。
レンズユニット２が装着されていれば、制御部３３はステップＦ８０２，Ｆ８０３で記録開始操作、記録終了操作の検知を行う。
記録開始操作を検知した場合は、制御部３３はステップＦ８０２からＦ８０３に進み、レンズ脱フラグを確認して、レンズ脱フラグがオンであれば、ステップＦ８０４でレンズ脱フラグをオフとするとともに、ステップＦ８０５でインデックスデータＩＤＸの記録制御を行う。
そしてステップＦ８０６で記録再生部３６に対して映像信号記録開始指示を行う。
記録終了操作を検知した場合は、制御部３３はステップＦ８０８からＦ８０９に進んで記録再生部３６に対して映像信号ＶＳの記録終了指示を行う。
このようなステップＦ８００〜Ｆ８１０の処理を繰り返す。
【００４４】
この図１０の処理例は、映像信号ＶＳの記録開始指示の前にレンズ脱フラグを確認するとともに、レンズ脱フラグがオンの場合に、レンズ脱フラグのオフ処理とインデックスデータＩＤＸの記録制御を行うようにした例である。なおステップＦ８０４とＦ８０５の順序は逆でもかまわない。
【００４５】
以上の図８，図９，図１０の処理によっても、図７と同様、レンズユニット２の脱着後の最初の記録開始時にインデックスデータＩＤＸの記録制御が行われることになる。
【００４６】
［３．第３の実施の形態の撮像装置の構成及び動作］
第３の実施の形態の撮像装置１の構成を図１１に示す。
なお、図１と同一部分には同一符号を付し、重複説明を避ける。この図１１の構成は、図１の記録再生部３６に代えて送信部３８を有するものとしている。
【００４７】
送信部３８は、外部機器１００に対してデータ送信を行う。本例の場合、映像信号ＶＳやインデックスデータＩＤＸを外部機器１００に送信する部位として形成される。
この送信部は、いわゆる映像信号伝送ケーブル（アナログ信号ラインや光伝送ケーブル等）によるライン接続で外部機器１００に映像信号ＶＳを伝送する構成とされてもよいし、外部機器１００との間の専用インターフェースによるデータ伝送を行う構成でも良い。また例えば赤外線通信やブルートゥース通信のような無線伝送により外部機器１００に信号伝送を行う構成でもよい。
さらには、インターネット、ＬＡＮ（Local Area Network）、携帯電話通信網、ＰＨＳ通信網、アドホックネットワークなどのネットワーク通信を有線又は無線で行い、ネットワーク上の端末となる外部機器１００にデータ送信を行う構成とされてもよい。
【００４８】
外部機器１００としては、ビデオレコーダ、映像編集器、汎用コンピュータなどが想定される。この外部機器１００は撮像装置１の送信部３８から送信されてきた映像信号ＶＳ及びインデックスデータＩＤＸを記録メディア９０に記録する機器であるとする。
【００４９】
このような構成において、撮像装置１の制御部３３は、ユーザの操作に応じて、送信部３８からの映像信号ＶＳの送信動作を制御する。また所定のタイミングでインデックスデータＩＤＸの生成処理を行い、送信部３８から送信させる制御を行う。
制御部３３の処理の一例としては、例えば図２における記録に関する指示を送信部３８に対する送信に関する指示とすればよい。即ち図２のステップＦ１０８の処理を、映像信号ＶＳの送信開始指示とし、ステップＦ１０６の処理をインデックスデータＩＤＸの送信制御とし、ステップＦ１１０の処理を映像信号ＶＳの送信終了指示とすればよい。
同様に図３，図４，図５の処理例も、記録に関する指示を送信部３８に対する送信に関する指示に変更して適用できる。
【００５０】
また、図６の構成において記録再生部３６を送信部３８に代えることも考えられる。その場合、図７、図８，図９，図１０の処理例についても、映像信号ＶＳやインデックスデータＩＤＸの記録に関する指示を送信部３８に対する送信に関する指示に変更することで適用できる。
【００５１】
そしてこのような制御が行われることで、外部機器１００における記録メディア９０には、撮像装置１でのレンズユニット２の交換又は脱着後の最初の記録開始時の映像信号ＶＳのポイントに対してインデックスデータＩＤＸが付与された状態で、映像信号ＶＳの記録が行われることになる。
【００５２】
［４．インデックスデータの内容例］
以上の第１，第２，第３の実施の形態において適用できるインデックスデータＩＤＸとしての内容の例を述べる。
【００５３】
インデックスデータＩＤＸとしては、記録メディア９０上のセクタアドレスを用いることが考えられる。
例えば制御部３３は、図２のステップＦ１０６などとしてインデックスデータＩＤＸの記録制御を行う場合、記録再生部３６に、映像信号ＶＳの記録を開始する記録メディア９０上のセクタアドレス（物理アドレス又は論理アドレス）の値を、インデックスデータＩＤＸとする。そして、そのインデックスデータＩＤＸに、インデックスナンバを付与して記録メディア９０に記録させる。
このような処理を行うことで、記録メディア９０には、例えば図１２（ａ）のようなインデックス情報ファイルが形成される。即ちインデックスデータＩＤＸの記録制御が行われる毎に、インデックスナンバと、セクタアドレスとしてのインデックスデータＩＤＸが追加記録されていくような、インデックス情報ファイルが形成される。
このようなインデックス情報ファイルが記録されることで、記録メディア９０の再生時には、セクタアドレスを参照してインデックスポイントの映像信号へのアクセスを容易に行うことができる。
【００５４】
またインデックスデータＩＤＸとしては、タイムコードを用いてもよい。
制御部３３は、例えば図２のステップＦ１０６などとしてインデックスデータＩＤＸの記録制御を行う場合、映像信号に付与されて記録メディア９０に記録されるタイムコードをインデックスデータＩＤＸとし、そのインデックスデータＩＤＸにインデックスナンバを付与して記録メディア９０に記録させる。
このような処理を行うことで、記録メディア９０には、例えば図１２（ｂ）のようなインデックス情報ファイルが形成される。即ちインデックスデータＩＤＸの記録制御が行われる毎に、インデックスナンバと、タイムコードとしてのインデックスデータＩＤＸが追加記録されていくような、インデックス情報ファイルが形成される。
このようなインデックス情報ファイルが記録されることで、記録メディア９０の再生時には、タイムコードを参照してインデックスポイントの映像信号へのアクセスを容易に行うことができる。
【００５５】
またインデックスデータＩＤＸとしては、動画映像のフレーム番号を用いてもよい。
制御部３３は、例えば図２のステップＦ１０６などとしてインデックスデータＩＤＸの記録制御を行う場合、映像信号のフレーム単位の番号をインデックスデータＩＤＸとし、そのインデックスデータＩＤＸにインデックスナンバを付与して記録メディア９０に記録させる。
このような処理を行うことで、記録メディア９０には、例えば図１２（ｃ）のようなインデックス情報ファイルが形成される。即ちインデックスデータＩＤＸの記録制御が行われる毎に、インデックスナンバと、フレーム番号としてのインデックスデータＩＤＸが追加記録されていくような、インデックス情報ファイルが形成される。
このようなインデックス情報ファイルが記録されることで、記録メディア９０の再生時には、フレーム番号を参照してインデックスポイントの映像信号へのアクセスを容易に行うことができる。
【００５６】
また、インデックスデータＩＤＸとして、サムネイル画像データ（静止画インデックス画像データ）を用いても良い。例えば図１３のように、撮像装置１において静止画インデックス画像生成部３７を設ける。
この静止画インデックス画像生成部３７は、撮像信号処理部３４からの映像信号ＶＳが入力される。そして制御部３３の指示に応じて、映像信号ＶＳの１フレームの画像を取り出し、画像縮小処理を行ってサムネイル画像データＴＭを生成して記録再生部３６に供給できる構成とする。
【００５７】
そして制御部３３は、例えば図２のステップＦ１０６などとしてインデックスデータＩＤＸの記録制御を行う場合、静止画インデックス画像生成部３７に、或るフレーム、例えば記録開始する映像信号の先頭フレームや、記録開始から数秒などの所定タイミングのフレームを指示し、そのフレームの映像についてサムネイル画像データＴＭを生成させ、記録再生部３６に供給させる。
また、制御部３３は、記録再生部３６に対して、サムネイル画像データＴＭと例えばフレーム番号をインデックス画像として記録するように指示する。
制御部３３がこのような処理を行うことで、記録メディア９０には、例えば図１４（ａ）のようなインデックス情報ファイルが形成される。即ちインデックスデータＩＤＸの記録制御が行われる毎に、インデックスナンバと、インデックスデータＩＤＸとしてのフレーム番号とサムネイル画像データＴＭ（ＴＭ１，ＴＭ２・・・）が追加記録されていくような、インデックス情報ファイルが形成される。
このようなインデックス情報ファイルが記録されることで、記録メディア９０の再生時には、例えばユーザにサムネイル画像データＴＭを一覧表示させ、ユーザにアクセスしたいシーンを選択させることが可能となると共に、或るサムネイル画像をユーザが指定した際に、フレーム番号を参照して、その指定されたインデックスポイントの映像信号へのアクセスを容易に行うことができる。
【００５８】
なお、図１４（ｂ）のようにサムネイル画像データＴＭ１，ＴＭ２・・・を記録メディア９０上の或る領域に記録し、インデックス情報ファイルには、各インデックスナンバに対応するサムネイル画像データＴＭが記録されたアドレスを示すサムネイルポインタが記録されるようにしてもよい。つまりインデックス情報ファイルとサムネイル画像データＴＭを別ファイルとして記録する例である。
また、図１４（ａ）（ｂ）のインデックス情報ファイルにおいて、フレーム番号に代えてインデックスポイントとしてのセクタアドレスやタイムコードを記録するようにしてもよい。
また、図１２、図１４のインデックス情報ファイルの例では、インデックスナンバに対応させてインデックスデータＩＤＸを記録したファイル形式としたが、インデックスナンバは必ずしも必要ではない。
また、インデックスデータＩＤＸは、これらのようにファイル形式で記録することも限定されるものではなく、例えば映像信号ＶＳ内にメタデータ形式でインデックスデータＩＤＸが含まれるものであっても良い。特にその場合、インデックスポイントを示す単なるフラグデータなどとしてインデックスデータＩＤＸが付加されるものも想定される。例えば制御部３３がインデックスデータＩＤＸの形成処理として、映像信号ＶＳ上でのインデックスポイントを示すフラグをインデックスデータＩＤＸとして付加する処理を行うようにする。
さらに、このようにフラグをインデックスデータＩＤＸとして付加した場合、図１，図６の記録再生部３６、又は図１１の外部機器で、記録メディア９０に記録された後において、フラグに基づいてフレームを抽出してサムネイル画像データを生成したり、或いは図１２，図１４のようなインデックス情報ファイルを生成することも想定される。
【００５９】
［５．インデックスデータの記録例］
続いて記録メディア９０に映像信号ＶＳとインデックスデータＩＤＸの記録する際の記録場所の例を述べる。
図１５（ａ）は、記録メディア９０を光ディスク９１とした場合の記録場所を模式的に示している。これは、インデックスデータＩＤＸの記録領域と、動画映像の記録領域をディスク上で別の領域に設定する例である。例えば図１２、図１４のようなインデックス情報ファイルをインデックスデータ記録領域に記録する。
【００６０】
図１５（ｂ）は、記録メディア９０を固体メモリ９２とした例である。ここで言う固体メモリ９２とは、例えばフラッシュメモリを内蔵したメモリカード等を含む。
そして例えばフラッシュメモリ等の固体メモリ９２の記録領域としてアドレス０〜ＦＦＦの範囲を、インデックスデータ記録（例えばインデックス情報ファイルの記録）に用い、アドレス１０００以降を動画映像としての映像信号ＶＳの記録に用いるようにした例である。
【００６１】
図１６（ａ）（ｂ）は、記録メディア９０として、光ディスク９１と固体メモリ９２の両方を利用する例を模式的に示している。例えば図１，図６の構成において記録再生部３６は、光ディスク９１に対するディスクドライブと、固体メモリ９２に対する記録再生処理部を有し、光ディスク９１と固体メモリ９２のそれぞれに対して記録再生可能な構成とする。
そして図１６（ａ）の例は、光ディスク９１に映像信号ＶＳを記録し、固体メモリ９２にインデックスデータＩＤＸを記録するようにした例である。例えば制御部３３は、固体メモリ９２の読み出しによりインデックスデータＩＤＸを得た後、光ディスク９１上でインデックスデータＩＤＸで示された映像ポイントにアクセスするよういにディスクドライブを制御することができる。
逆に図１６（ｂ）の例は、光ディスク９１にインデックスデータＩＤＸを記録し、固体メモリ９２に映像信号ＶＳを記録するようにした例である。
【００６２】
なお、光ディスク９１がカートリッジに収納されるタイプである場合、カートリッジ内に固体メモリ９２を収納した記録メディア９０も考えられる。また磁気テープカートリッジにおいて、カートリッジ内に固体メモリ９２を収納した記録メディア９０も存在する。
そのような記録メディア９０においては、カートリッジ内の光ディスク９１と固体メモリ９２において図１６（ａ）（ｂ）のように映像信号ＶＳとインデックスデータＩＤＸを記録することも好適である。
【００６３】
図１７は、映像信号ＶＳとインデックスデータＩＤＸを一連のデータストリームに混在させて記録する例を示している。
図１７（ａ）は光ディスク９１に映像信号ＶＳを記録する際に、例えばフレーム単位での付加情報としてインデックスデータＩＤＸを記録する例を示している。
また図１７（ｂ）は、固体メモリ９２に映像信号ＶＳを記録する際に、例えばフレーム単位での付加情報としてインデックスデータＩＤＸを記録する例を示している。
図１８は、記録メディア９０を磁気テープ９３とする例である。磁気テープ９３にはヘリカルスキャン方式の記録トラックＴＫが形成されるが、この１つの記録トラックＴＫで映像信号ＶＳの１フレームが記録される。そして各トラックＴＫにサブコードエリアが設けられ、このサブコードエリアに、各フレームについてのインデックスデータＩＤＸが記録される。
【００６４】
なお、この図１７，図１８のようにフレーム単位でインデックスデータＩＤＸを付加する場合、各フレーム毎に、上述したインデックス情報ファイルを記録してもよいし、インデックスデータＩＤＸをフラグデータのように形成し、インデックスポイントとしての１フレーム（或いは複数フレーム）で有効フラグとしての値、他のフレームについては無効フラグとしての値を記録するようにしてもよい。
【００６５】
［６．実施の形態の効果及びプログラム］
以上の実施の形態によれば、レンズが交換又は脱着されることに応じて、撮像された映像信号ＶＳにインデックスデータＩＤＸが付与され、記録メディア９０に記録される。或いは外部機器１００に送信されて記録される。
このためレンズユニット２が着脱可能な撮像装置１において、撮像された映像信号ＶＳに対する適切な映像検索用のインデックスデータＩＤＸが生成されることとなり、映像信号ＶＳの再生時に、効率的なアクセスが実現され、映像の視聴や編集に好適となる。
【００６６】
特に第１の実施の形態の場合、レンズユニット２の交換がなされた場合にインデックスデータＩＤＸが付与されるが、これは映像信号ＶＳとして明らかに撮像シーンが変わったポイントである。従って撮像後に動画映像を確認する際などに、撮像条件が変化した箇所へのすばやいアクセスが可能となる。
また、撮像された動画映像を編集する場合においても、撮像時に使用されたレンズユニット２が交換されたポイントで頭だしできるので、レンズごとに異なる光学的補正処理（収差などによる画歪みや色補正処理）をインデックスごとに連続して行うことが可能となり、編集効率が改善できる。
【００６７】
また第２の実施の形態の場合、レンズユニット２が同一か否かにかかわらず脱着された場合にインデックスデータＩＤＸが付与されるが、レンズを取り外して再度装着する場合は撮像場所を移動した後である可能性が高い。つまり映像信号ＶＳとして撮像シーンが変わったポイントにインデックスデータＩＤＸが付与される。
従って撮像後に動画映像を確認する際などに、撮像条件が変化した箇所へのすばやいアクセスが可能となる。
【００６８】
また第３の実施の形態のように、撮像した映像信号ＶＳを外部機器１００に送信し、別体の装置で記録メディア９０に記録するシステムであっても、記録メディア９０上で撮像装置１側のレンズユニット２の交換又は脱着後の映像ポイントがインデックスデータＩＤＸとして反映され、再生や編集の際に好適となる。
【００６９】
実施の形態のプログラムは、上述した制御部３３の処理のプログラムである。即ち図２，図３，図４，図５、図７、図８、図９，図１０のような各種処理例をマイクロコンピュータ（演算処理装置）である制御部１０に実行させるプログラムである。
このようなプログラムは、パーソナルコンピュータや、撮像装置等の機器に内蔵されている記録媒体としてのＨＤＤや、ＣＰＵを有するマイクロコンピュータ内のＲＯＭやフラッシュメモリ等に予め記録しておくことができる。
あるいはまた、フレキシブルディスク、ＣＤ−ＲＯＭ(Compact Disc Read Only Memory)、ＭＯ(Magnet optical)ディスク、ＤＶＤ(Digital Versatile Disc)、ブルーレイディスク、磁気ディスク、半導体メモリ、メモリカードなどのリムーバブル記録媒体に、一時的あるいは永続的に格納（記録）しておくことができる。このようなリムーバブル記録媒体は、いわゆるパッケージソフトウェアとして提供することができる。
また、実施の形態のプログラムは、リムーバブル記録媒体からパーソナルコンピュータ等にインストールする他、ダウンロードサイトから、ＬＡＮ(Local Area Network)、インターネットなどのネットワークを介してダウンロードすることもできる。
【図面の簡単な説明】
【００７０】
【図１】本発明の第１の実施の形態の撮像装置のブロック図である。
【図２】第１の実施の形態の処理のフローチャートである。
【図３】第１の実施の形態の処理の変形例のフローチャートである。
【図４】第１の実施の形態の処理の変形例のフローチャートである。
【図５】第１の実施の形態の処理の変形例のフローチャートである。
【図６】第２の実施の形態の撮像装置のブロック図である。
【図７】第２の実施の形態の処理のフローチャートである。
【図８】第２の実施の形態の処理の変形例のフローチャートである。
【図９】第２の実施の形態の処理の変形例のフローチャートである。
【図１０】第２の実施の形態の処理の変形例のフローチャートである。
【図１１】第３の実施の形態の撮像装置のブロック図である。
【図１２】実施の形態のインデックスデータの内容の説明図である。
【図１３】実施の形態の撮像装置の他の構成例のブロック図である。
【図１４】実施の形態のインデックスデータの内容の説明図である。
【図１５】実施の形態の映像信号とインデックスデータの記録場所の説明図である。
【図１６】実施の形態の映像信号とインデックスデータの記録場所の説明図である。
【図１７】実施の形態の映像信号とインデックスデータの記録場所の説明図である。
【図１８】実施の形態の映像信号とインデックスデータの記録場所の説明図である。
【符号の説明】
【００７１】
１  撮像装置、２  レンズユニット、３  カメラ本体部、２１，３１  コネクタ部、２２  メモリ部、３２  装着検出部、３３  制御部、３４  撮像信号処理部、３５  操作部、３６  記録再生部、３７  静止画インデックス画像生成部、３８  送信部、９０  記録メディア
【図１】
2008252260.tif 000003
【図２】
2008252260.tif 000004
【図３】
2008252260.tif 000005
【図４】
2008252260.tif 000006
【図５】
2008252260.tif 000007
【図６】
2008252260.tif 000008
【図７】
2008252260.tif 000009
【図８】
2008252260.tif 000010
【図９】
2008252260.tif 000011
【図１０】
2008252260.tif 000012
【図１１】
2008252260.tif 000013
【図１２】
2008252260.tif 000014
【図１３】
2008252260.tif 000015
【図１４】
2008252260.tif 000016
【図１５】
2008252260.tif 000017
【図１６】
2008252260.tif 000018
【図１７】
2008252260.tif 000019
【図１８】
2008252260.tif 000020
【手続補正書】
【提出日】平成20年2月28日(2008.2.28)
【手続補正１】
【補正対象書類名】明細書
【補正対象項目名】００１５
【補正方法】変更
【補正の内容】
【００１５】
操作部３５は、ユーザが操作を行うための各種操作子が設けられる。例えば撮像開始、終了の操作や、各種モード切換操作、再生操作などのための操作子が形成される。操作部３５の各種操作子による操作情報は制御部３３に供給される。
【手続補正２】
【補正対象書類名】明細書
【補正対象項目名】００２８
【補正方法】変更
【補正の内容】
【００２８】
次に図５の処理例では、制御部３３はステップＦ４００で処理を開始すると、ステップＦ４０１でレンズユニット２の装着有無を判断する。レンズユニット２が装着されていなければステップＦ４１１に進む。レンズユニット２が装着されていれば、ステップＦ４０２，Ｆ４０９で記録開始操作、記録終了操作の検知を行う。
記録開始操作を検知したら、制御部３３はステップＦ４０２からステップＦ４０３に進み、現在のレンズユニット２のレンズＩＤの読み込みを行い、ステップＦ４０４でバックアップレンズＩＤの読み出しを行う。ステップＦ４０５では現在のレンズユニット２のレンズＩＤとバックアップレンズＩＤの比較を行い、比較結果によりレンズユニット２の交換と判断した場合はステップＦ４０６でバックアップレンズＩＤの更新を行ってから、ステップＦ４０７でインデックスデータＩＤＸの記録制御を行う。
そしてステップＦ４０８で記録再生部３６に映像信号ＶＳの記録開始指示を行う。
記録終了操作を検知した場合は、制御部３３はステップＦ４０９からＦ４１０に進んで記録再生部３６に対して映像信号ＶＳの記録終了指示を行う。
このようなステップＦ４００〜Ｆ４１１の処理を繰り返す。
【手続補正３】
【補正対象書類名】明細書
【補正対象項目名】００３１
【補正方法】変更
【補正の内容】
【００３１】
［２．第２の実施の形態の撮像装置の構成及び動作］
第２の実施の形態の撮像装置１の構成を図６に示す。なお、図１と同一部分は同一符号を付し、説明を省略する。
この図６は、レンズユニット２においてレンズＩＤを記憶するメモリ部を無くしたものであり、カメラ本体部３の制御部３３は、特にレンズＩＤを読み込む処理を行わない構成例である。
【手続補正４】
【補正対象書類名】明細書
【補正対象項目名】００３３
【補正方法】変更
【補正の内容】
【００３３】
図７の処理の開始時点では、制御部３３はステップＦ５０１で、レンズユニット２の装着の有無を判別する。即ち装着検出部３２からの検出信号を確認し、レンズユニット２が取り付けられているか否かを判別する。
レンズユニット２が装着されていなければ、制御部３３はステップＦ５０７で内部フラグとしてのレンズ脱フラグをオンとする。そしてステップＦ５１１で処理を終了し、再びステップＦ５００の処理の開始に戻る。
レンズ脱フラグは、レンズユニット２が装着されていないことによってオンとされるフラグとなる。
【手続補正５】
【補正対象書類名】明細書
【補正対象項目名】００６９
【補正方法】変更
【補正の内容】
【００６９】
実施の形態のプログラムは、上述した制御部３３の処理のプログラムである。即ち図２，図３，図４，図５、図７、図８、図９，図１０のような各種処理例をマイクロコンピュータ（演算処理装置）である制御部３３に実行させるプログラムである。
このようなプログラムは、パーソナルコンピュータや、撮像装置等の機器に内蔵されている記録媒体としてのＨＤＤや、ＣＰＵを有するマイクロコンピュータ内のＲＯＭやフラッシュメモリ等に予め記録しておくことができる。
あるいはまた、フレキシブルディスク、ＣＤ−ＲＯＭ(Compact Disc Read Only Memory)、ＭＯ(Magnet optical)ディスク、ＤＶＤ(Digital Versatile Disc)、ブルーレイディスク、磁気ディスク、半導体メモリ、メモリカードなどのリムーバブル記録媒体に、一時的あるいは永続的に格納（記録）しておくことができる。このようなリムーバブル記録媒体は、いわゆるパッケージソフトウェアとして提供することができる。
また、実施の形態のプログラムは、リムーバブル記録媒体からパーソナルコンピュータ等にインストールする他、ダウンロードサイトから、ＬＡＮ(Local Area Network)、インターネットなどのネットワークを介してダウンロードすることもできる。
【手続補正６】
【補正対象書類名】図面
【補正対象項目名】図３
【補正方法】変更
【補正の内容】
【図３】
2008252260.tif 000021
【手続補正７】
【補正対象書類名】図面
【補正対象項目名】図１３
【補正方法】変更
【補正の内容】
【図１３】
2008252260.tif 000022
【手続補正８】
【補正対象書類名】図面
【補正対象項目名】図１４
【補正方法】変更
【補正の内容】
【図１４】
2008252260.tif 000023